(57)【特許請求の範囲】
【請求項１】
人体局部に向けて水を吐出するノズルと、
給水源と前記ノズルとの間の管路上に設けられ、電磁弁を有するバルブユニットと、
前記ノズル及び前記バルブユニットを収納するケーシングと、
給水源から前記ケーシングの内部に水を供給するための可撓性のある給水ホースと、
前記給水ホースと前記バルブユニットとを接続する給水接続部と、
を備え、
前記給水接続部は、水平方向に開口し、
前記給水ホースは、前記給水接続部に対して水平方向に直接接続され、
前記ケーシングは、前記給水ホースの一部を曲げて収納することができるホース収納部を有することを特徴とする衛生洗浄装置。
【請求項２】
前記給水接続部は、前記ケーシングの前後方向の中央よりも前方に設けられることを特徴とする請求項１記載の衛生洗浄装置。
【請求項３】
前記ホース収納部は、後方または側方の少なくとも一方に向かって開放されることを特徴とする請求項１または２に記載の衛生洗浄装置。
【請求項４】
前記給水接続部は、前記ケーシングの側端に隣接する位置に設けられることを特徴とする請求項１〜３のいずれか１つに記載の衛生洗浄装置。
【請求項５】
前記ホース収納部の幅は、前記給水接続部の向く方向に向かって広くなることを特徴とする請求項１〜４のいずれか１つに記載の衛生洗浄装置。
【請求項６】
前記ホース収納部は、前記ケーシングの底面から上方に向かって窪む凹部であり、
前記給水接続部は、前記凹部の後方または側方に向かう側面に設けられることを特徴とする請求項１〜５のいずれか１つに記載の衛生洗浄装置。
【請求項７】
前記給水ホースを正規の方向に導くガイド部をさらに備えたことを特徴とする請求項６記載の衛生洗浄装置。
【請求項８】
前記ガイド部は、前記凹部の上面を含むことを特徴とする請求項７記載の衛生洗浄装置。
【請求項９】
前記凹部の側方に設けられる着脱可能なカバー部材をさらに備え、
前記ガイド部は、前記カバー部材と、前記カバー部材に対向する前記凹部の側面と、を含むことを特徴とする請求項７または８に記載の衛生洗浄装置。
【発明の詳細な説明】
【技術分野】
【０００１】
本発明の態様は、一般的に、衛生洗浄装置に関する。
【背景技術】
【０００２】
衛生洗浄装置において、給水源からケーシングの内部に水を供給するための給水ホースを設けることが知られている。また、外観向上のために、ケーシングの外側にある給水ホースなどを便器の後部に設けられた貫通孔に挿入して隠蔽することが知られている。このような衛生洗浄装置では、給水ホースをバルブユニットに繋がる給水接続部に接続する際に、回転自在な給水管部材を介して接続している。
【０００３】
しかし、給水管部材を介して給水ホースと給水接続部とを接続すると、給水管部材を設けることにより部品数が増え、コストが増大するという問題がある。また、給水管部材の可動範囲が決まっているため、便器の貫通孔の位置によっては、給水ホースを給水管部材に接続させるのが難しいという問題がある。
【先行技術文献】
【特許文献】
【０００４】
【特許文献１】特開２０１８−３１２２１号公報
【発明の概要】
【発明が解決しようとする課題】
【０００５】
本発明は、かかる課題の認識に基づいてなされたものであり、部品数を減らすことでコストを削減できるとともに、多様な便器の貫通孔に対応できる衛生洗浄装置を提供することを目的とする。
【課題を解決するための手段】
【０００６】
第１の発明は、人体局部に向けて水を吐出するノズルと、給水源と前記ノズルとの間の管路上に設けられ、電磁弁を有するバルブユニットと、前記ノズル及び前記バルブユニットを収納するケーシングと、給水源から前記ケーシングの内部に水を供給するための可撓性のある給水ホースと、前記給水ホースと前記バルブユニットとを接続する給水接続部と、を備え、前記給水接続部は、水平方向に開口し、前記給水ホースは、前記給水接続部に対して水平方向に直接接続され、前記ケーシングは、前記給水ホースの一部を曲げて収納することができるホース収納部を有することを特徴とする衛生洗浄装置である。
【０００７】
この衛生洗浄装置によれば、水平方向に開口する給水接続部に対して給水ホースを水平方向に直接接続することで、給水ホースと給水接続部とを接続する給水管部材を設ける必要がない。これにより、部品数を減らすことができ、コストを削減することができる。また、ケーシングに給水ホースの一部を曲げて収納することができるホース収納部を設けることで、便器に設けられる貫通孔の位置によらず、容易に給水ホースを貫通孔に挿入することができる。これにより、多様な便器の貫通孔に対応させることができる。
【０００８】
第２の発明は、第１の発明において、前記給水接続部は、前記ケーシングの前後方向の中央よりも前方に設けられることを特徴とする衛生洗浄装置である。
【０００９】
この衛生洗浄装置によれば、給水接続部をケーシングの前後方向の中央よりも前方に設けることで、給水ホースのキンクを抑制しながら給水ホースを曲げるための十分な空間を確保することができる。これにより、給水接続部よりも後方に配置される便器の貫通孔に対して、給水ホースを容易に取り回すことができる。
【００１０】
第３の発明は、第１または第２の発明において、前記ホース収納部は、後方または側方の少なくとも一方に向かって開放されることを特徴とする衛生洗浄装置である。
【００１１】
この衛生洗浄装置によれば、ホース収納部を後方または側方の少なくとも一方に向かって開放することで、給水ホースをホース収納部の後方または側方の少なくとも一方に延ばすことができる。これにより、便器に貫通孔が設けられていない場合にも、給水ホースのキンクを抑制しながら給水ホースを取り回すことができる。つまり、貫通孔を有する便器及び貫通孔を有さない便器のいずれにも衛生洗浄装置を設置することができる。
【００１２】
第４の発明は、第１〜第３のいずれか１つの発明において、前記給水接続部は、前記ケーシングの側端に隣接する位置に設けられることを特徴とする衛生洗浄装置である。
【００１３】
この衛生洗浄装置によれば、給水接続部をケーシングの側端に隣接する位置に設けることで、ホース収納部をケーシングの側端に近づけることができる。これにより、貫通孔を有さない便器に設置する場合に、給水ホースを取り回すための十分な空間を確保しつつ、ホース収納部を小さくすることができる。これにより、ケーシングの内部で他の部品を配置できるスペースを広くすることができる。また、ケーシングをコンパクト化することができる。
【００１４】
第５の発明は、第１〜第４のいずれか１つの発明において、前記ホース収納部の幅は、前記給水接続部の向く方向に向かって広くなることを特徴とする衛生洗浄装置である。
【００１５】
この衛生洗浄装置によれば、ホース収納部の幅を給水接続部の向く方向に向かって広くすることで、給水ホースを取り回すための十分な空間を確保しつつ、ホース収納部を小さくすることができる。これにより、ケーシングの内部で他の部品を配置できるスペースを広くすることができる。また、ケーシングをコンパクト化することができる。
【００１６】
第６の発明は、第１〜第５のいずれか１つの発明において、前記ホース収納部は、前記ケーシングの底面から上方に向かって窪む凹部であり、前記給水接続部は、前記凹部の後方または側方に向かう側面に設けられることを特徴とする衛生洗浄装置である。
【００１７】
この衛生洗浄装置によれば、ケーシングの底面から上方に向かって窪む凹部をホース収納部とし、給水接続部を凹部の後方または側方に向かう側面に設けることで、給水ホースをケーシングの内部で給水接続部に接続する必要がないため、より容易に給水ホースを給水接続部に接続することができる。
【００１８】
第７の発明は、第６の発明において、前記給水ホースを正規の方向に導くガイド部をさらに備えたことを特徴とする衛生洗浄装置である。
【００１９】
この衛生洗浄装置によれば、給水ホースを正規の方向に導くガイド部を設けることで、可撓性のある給水ホースが給水接続部に接続された状態でキンクするのを抑制することができる。
【００２０】
第８の発明は、第７の発明において、前記ガイド部は、前記凹部の上面を含むことを特徴とする衛生洗浄装置である。
【００２１】
この衛生洗浄装置によれば、凹部の上面により給水ホースを導くことで、給水ホースが上方へと延びるのを押さえ、給水ホースのキンクを抑制できる。
【００２２】
第９の発明は、第７または第８の発明において、前記凹部の側方に設けられる着脱可能なカバー部材をさらに備え、前記ガイド部は、前記カバー部材と、前記カバー部材に対向する前記凹部の側面と、を含むことを特徴とする衛生洗浄装置である。
【００２３】
この衛生洗浄装置によれば、凹部の側方に設けられるカバー部材とカバー部材に対向する凹部の側面とにより給水ホースを導くことで、給水ホースを左右方向に曲げて接続する場合にも、容易に給水接続部に接続することができる。
【発明の効果】
【００２４】
本発明の態様によれば、部品数を減らすことでコストを削減できるとともに、多様な便器の貫通孔に対応できる衛生洗浄装置が提供される。
【図面の簡単な説明】
【００２５】
【図１】実施形態に係る衛生洗浄装置を備えたトイレ装置を模式的に表す斜視図である。
【図２】実施形態に係る衛生洗浄装置の要部構成を模式的に表すブロック図である。
【図３】実施形態に係る衛生洗浄装置の一部を模式的に表す平面図である。
【図４】実施形態に係る衛生洗浄装置の一部を模式的に表す断面図である。
【図５】実施形態に係る衛生洗浄装置の一部を模式的に表す断面図である。
【図６】実施形態に係る衛生洗浄装置の一部を模式的に表す断面図である。
【図７】図７（ａ）及び図７（ｂ）は、実施形態に係る衛生洗浄装置のバルブユニットを模式的に表す平面図及び正面図である。
【図８】図８（ａ）及び図８（ｂ）は、実施形態に係る衛生洗浄装置のバルブユニットを模式的に表す側面図である。
【図９】実施形態に係る衛生洗浄装置のケーシングの一部を模式的に表す平面図である。
【図１０】図１０（ａ）及び図１０（ｂ）は、実施形態に係る衛生洗浄装置のケーシングの一部を模式的に表す断面図である。
【図１１】実施形態に係る衛生洗浄装置のケーシングの一部を模式的に表す斜視図である。
【図１２】実施形態に係る衛生洗浄装置を模式的に表す平面図である。
【図１３】実施形態に係る衛生洗浄装置を模式的に表す断面図である。
【図１４】実施形態に係る衛生洗浄装置を模式的に表す断面図である。
【図１５】実施形態に係る衛生洗浄装置を模式的に表す断面図である。
【図１６】実施形態に係る衛生洗浄装置を模式的に表す断面図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置９００は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。ケーシング４００は、下部に位置するケースプレート４００ａと、上部に位置するケースカバー４００ｂと、を有し、内部の空間にノズル４７３などの機能部を収納する。便座２００の内部には、便座２００を温めるためのヒータ２１０が設けられている。
【００２７】
以下の実施形態の説明では、「上方」、「下方」、「前方」、「後方」、「右側方」、及び「左側方」を用いるが、これらの方向は、図１に表すように、便座２００に座った使用者から見た方向である。
【００２８】
ケーシング４００の内部には、便座２００に座った使用者の「おしり」などの局部の洗浄を実現する局部洗浄機能部などが内蔵されている。局部洗浄機能部は、例えば、ノズル４７３を含む。また、衛生洗浄装置１００には、使用者の便座２００への着座を検知する着座検知センサ４０４（図２参照）が設けられている。着座検知センサ４０４が便座２００に座った使用者を検知している場合において、使用者が例えばリモコンなどの操作部５００（図２参照）を操作すると、ノズル４７３を便器８００のボウル８０１内に進出させたり、ボウル８０１内から後退させたりすることができる。なお、図１に表した衛生洗浄装置１００では、ノズル４７３がボウル８０１内に進出した状態を表している。
【００２９】
ノズル４７３は、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００３０】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００３１】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００３２】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する給水ホース１５、給水接続部４２０、バルブユニット４３０、熱交換器ユニット４４０、流路切替部４７２などの各部と、これらの各部を接続する複数の配管と、によって形成される。
【００３３】
給水ホース１５は、給水源１０からケーシング４００の内部に水を供給する。給水ホース１５は、可撓性のあるホースである。給水接続部４２０は、給水ホース１５とバルブユニット４３０とを接続する。給水接続部４２０は、バルブユニット４３０と一体に構成されていてもよいし、バルブユニット４３０と別体で構成されていてもよい。
【００３４】
バルブユニット４３０は、管路２０ａ上において、給水ホース１５の下流に設けられる。バルブユニット４３０は、少なくとも電磁弁４３２を有する。この例では、バルブユニット４３０は、電磁弁４３２と、電磁弁４３２の上流に設けられたストレーナ４３１と、電磁弁４３２の下流に設けられた調整弁４３３と、調整弁４３３の下流に設けられた逆止弁４３４と、を有する。バルブユニット４３０は、例えば、管路２０ａ上において、給水ホース１５の下流から、熱交換器ユニット４４０の上流までの間に設けられる。バルブユニット４３０は、給水接続部４２０を含んでもよい。
【００３５】
バルブユニット４３０の上流側には、ストレーナ４３１が設けられている。ストレーナ４３１は、給水源１０から供給された水に含まれる異物などをろ過する。この例では、給水接続部４２０は、ストレーナ４３１の上流側において、ストレーナ４３１と一体に構成されている。
【００３６】
ストレーナ４３１の下流には、電磁弁４３２が設けられている。電磁弁４３２は、開閉可能な電磁バルブであり、ケーシング４００の内部に設けられた制御部４０５からの指令に基づいて水の供給を制御する。換言すれば、電磁弁４３２は、管路２０ａを開閉する。電磁弁４３２を開状態にすることにより、給水源１０から供給された水が、管路２０ａに流れる。
【００３７】
電磁弁４３２の下流には、調整弁４３３が設けられている。調整弁４３３は、管路２０ａ内の圧力や水の流量を調整する。調整弁４３３は、例えば、管路２０ａ内の圧力を所定の範囲に調整する調圧弁である。調整弁４３３は、例えば、管路２０ａ内を流れる水の流量を所定の範囲に調整する定流量弁であってもよい。
【００３８】
調整弁４３３の下流には、逆止弁４３４が設けられている。逆止弁４３４は、管路２０ａ内の圧力が低下した場合などに、逆止弁４３４よりも上流側への水の逆流を抑制する。逆止弁４３４は、必要に応じて設けられ、省略可能である。
【００３９】
バルブユニット４３０の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００４０】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００４１】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００４２】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。なお、流量センサ４４２は、熱交換器ユニット４４０の上流に設けられていてもよい。
【００４３】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。電解槽ユニット４５０は、必要に応じて設けられ、省略可能である。
【００４４】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００４５】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。なお、バキュームブレーカ４５２は、電解槽ユニット４５０の上流に設けられていてもよい。
【００４６】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００４７】
バキュームブレーカ４５２の下流には、圧力変調部４５４が設けられている。圧力変調部４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。圧力変調部４５４は、必要に応じて設けられ、省略可能である。
【００４８】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けられてもよい。流量調整部４７１及び流路切替部４７２は、制御部４０５に接続されている。流量調整部４７１及び流路切替部４７２の動作は、制御部４０５によって制御される。
【００４９】
流路切替部４７２の下流には、ノズル４７３、ノズル洗浄部４７８、及び噴霧ノズル４７９が設けられている。ノズル４７３は、ノズル駆動部４７６からの駆動力を受け、便器８００のボウル８０１内に進出したり、ボウル８０１内から後退したりする。
【００５０】
ノズル洗浄部４７８は、例えば、吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００５１】
また、流路切替部４７２の下流には、導水部２０を介して給水源１０から供給された水や電解槽ユニット４５０において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００５２】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄部４７８の吐水部へ導く。噴霧用流路２５は、導水部２０を介して給水源１０から供給される水や電解槽ユニット４５０において生成された機能水を噴霧ノズル４７９に導く。
【００５３】
制御部４０５は、流路切替部４７２を制御することにより、おしり洗浄流路２１、やわらか洗浄流路２２、ビデ洗浄流路２３、表面洗浄流路２４、及び噴霧用流路２５の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴霧ノズル４７９などの複数の吐水口のそれぞれについて、管路２０ａに連通させた状態と、管路２０ａに連通させない状態と、を切り替える。
【００５４】
制御部４０５は、電源回路４０１から電力を供給され、人体検知センサ４０３や、着座検知センサ４０４や、流量センサ４４２や、操作部５００などからの信号に基づいて、電磁弁４３２や、熱交換器ユニット４４０や、電解槽ユニット４５０や、圧力変調部４５４や、流量調整部４７１や、流路切替部４７２や、ノズル駆動部４７６などの動作を制御する。これにより、制御部４０５は、ノズル４７３やバルブユニット４３０などの動作を制御する。
【００５５】
図３は、実施形態に係る衛生洗浄装置の一部を模式的に表す平面図である。  
図４〜図６は、実施形態に係る衛生洗浄装置の一部を模式的に表す断面図である。  
図３では、便座２００及びケースカバー４００ｂを取り外した状態を表している。また、図３では、便座２００の位置を仮想線で表している。  
図４は、図３に示すＡ１−Ａ２線による断面図である。図５は、図３に示すＢ１−Ｂ２線による断面図である。図６は、図３に示すＣ１−Ｃ２線による断面図である。
【００５６】
図３〜図６に表したように、バルブユニット４３０、熱交換器ユニット４４０、及び制御部４０５は、ケーシング４００の内部（すなわち、ケースプレート４００ａとケースカバー４００ｂとの間の空間）に設けられる。換言すれば、バルブユニット４３０、熱交換器ユニット４４０、及び制御部４０５は、ケーシング４００に収納される。
【００５７】
図３、図５、及び図６に表したように、バルブユニット４３０及び熱交換器ユニット４４０は、制御部４０５よりも前方に配置されている。より具体的には、バルブユニット４３０の後端は、制御部４０５の前端よりも前方に位置している。また、熱交換器ユニット４４０の後端は、制御部４０５の後端よりも前方に位置している。熱交換器ユニット４４０の前端は、制御部４０５の前端よりも前方に位置している。
【００５８】
後述するように、ケースプレート４００ａが左右方向の中央側及び前方側に傾斜しているため、バルブユニット４３０を制御部４０５よりも前方に配置することで、バルブユニット４３０から漏水した場合に、バルブユニット４３０から漏れた水が制御部４０５にかかることを抑制できる。また、後述するように、ケースプレート４００ａが左右方向の中央側及び前方側に傾斜しているため、熱交換器ユニット４４０を制御部４０５よりも前方に配置することで、熱交換器ユニット４４０から漏水した場合に、熱交換器ユニット４４０から漏れた水が制御部４０５にかかることを抑制できる。
【００５９】
ケーシング４００の内底面には、バルブユニット４３０や熱交換器ユニット４４０から漏水した場合に、バルブユニット４３０や熱交換器ユニット４４０から漏れた水を便器８００に排出するための排水経路４１５が設けられている。換言すれば、ケースプレート４００ａの上面には、排水経路４１５が設けられている。排水経路４１５については、後述する。
【００６０】
バルブユニット４３０を制御部４０５よりも前方に配置することで、バルブユニット４３０から便器８００までの排水経路４１５（後述の第１領域４１５ａ）を短くすることができる。これにより、バルブユニット４３０から漏れた水を容易に便器８００に排出することができる。さらに、排水経路４１５を短くすることができるため、ケーシング４００の底面の傾斜を短くすることができる。これにより、ケーシング４００の上下方向の長さを小さくして、ケーシング４００をコンパクト化することができる。
【００６１】
図５及び図６に表したように、バルブユニット４３０の少なくとも一部は、便座２００の下方に配置されている。換言すれば、バルブユニット４３０の少なくとも一部は、上下方向において便座２００と重なる。より具体的には、バルブユニット４３０の少なくとも一部は、便座２００のヒータ２１０の下方に配置されている。換言すれば、バルブユニット４３０の少なくとも一部は、上下方向において便座２００のヒータ２１０と重なる。バルブユニット４３０は、例えば、便座２００の後部の下方に配置される。便座２００の後部は、便座２００の前後方向の中央よりも後方に位置する部分である。
【００６２】
このように、内部にヒータ２１０を有する便座２００の下方にバルブユニット４３０の少なくとも一部を配置することで、ヒータ２１０からの熱によってバルブユニット４３０の凍結を抑制することができる。これにより、凍結によるバルブユニット４３０の破損を抑制することができる。特に、バルブユニット４３０の強度向上のためにバルブユニット４３０をＰＰＳなどの硬い材質で構成した場合であっても、凍結によるバルブユニット４３０の破損を抑制することができる。
【００６３】
実施形態においては、バルブユニット４３０の２０％以上が便座２００の下方に位置することが好ましい。ここで、「２０％」とは、平面視におけるバルブユニット４３０の面積の２０％である。つまり、バルブユニット４３０のうち上下方向において便座２００と重なっている部分の平面視における面積が、バルブユニット４３０全体の平面視における面積の２０％以上であることが好ましい。また、実施形態においては、バルブユニット４３０の５０％以上が便座２００の下方に位置することがより好ましい。
【００６４】
このように、バルブユニット４３０の２０％以上が便座２００の下方に位置するようにすることで、便座２００からの熱をより効率的にバルブユニット４３０に伝えることができる。これにより、凍結によるバルブユニット４３０の破損をより確実に抑制することができる。
【００６５】
実施形態においては、バルブユニット４３０の全体が便座２００の下方に配置されていてもよい。バルブユニット４３０の後端は、例えば、便座２００のヒータ２１０の後端よりも前方に位置していてもよい。これにより、便座２００からの熱をより効率的にバルブユニット４３０に伝えることができる。
【００６６】
図３〜図６に表したように、この例では、バルブユニット４３０は、ストレーナ４３１と、電磁弁４３２と、調整弁４３３と、逆止弁４３４と、を有する。
【００６７】
ストレーナ４３１は、便座２００の下方に配置されている。換言すれば、ストレーナ４３１は、上下方向において便座２００と重なる。より具体的には、ストレーナ４３１は、便座２００のヒータ２１０の下方に配置されている。換言すれば、ストレーナ４３１は、上下方向において便座２００のヒータ２１０と重なる。ストレーナ４３１の後端は、例えば、便座２００のヒータ２１０の後端よりも前方に位置する。
【００６８】
このように、ストレーナ４３１を便座２００の下方に配置することで、凍結によるストレーナ４３１の破損を抑制することができる。これにより、凍結によるバルブユニット４３０の破損をより確実に抑制することができる。
【００６９】
電磁弁４３２は、便座２００の下方に配置されている。換言すれば、電磁弁４３２は、上下方向において便座２００と重なる。より具体的には、電磁弁４３２は、便座２００のヒータ２１０の下方に配置されている。換言すれば、電磁弁４３２は、上下方向において便座２００のヒータ２１０と重なる。電磁弁４３２の後端は、例えば、便座２００のヒータ２１０の後端よりも前方に位置する。
【００７０】
このように、電磁弁４３２を便座２００の下方に配置することで、凍結による電磁弁４３２の破損を抑制することができる。これにより、凍結によるバルブユニット４３０の破損をより確実に抑制することができる。
【００７１】
また、バルブユニット４３０は、ストレーナ４３１と電磁弁４３２との間に位置する縮径部４３６をさらに有する。縮径部４３６は、ストレーナ４３１と電磁弁４３２とを接続する。縮径部４３６の内径は、ストレーナ４３１の内径よりも小さい。
【００７２】
縮径部４３６は、便座２００の下方に配置されている。換言すれば、縮径部４３６は、上下方向において便座２００と重なる。より具体的には、縮径部４３６は、便座２００のヒータ２１０の下方に配置されている。換言すれば、縮径部４３６は、上下方向において便座２００のヒータ２１０と重なる。縮径部４３６の後端は、例えば、便座２００のヒータ２１０の後端よりも前方に位置する。
【００７３】
このように、縮径部４３６を便座２００の下方に配置することで、縮径部４３６の凍結を抑制することができる。これにより、凍結により縮径部４３６が詰まることを抑制できる。したがって、凍結によるバルブユニット４３０の破損をより確実に抑制することができる。
【００７４】
また、調整弁４３３は、便座２００の下方に配置されている。逆止弁４３４は、便座２００の下方に配置されている。バルブユニット４３０と熱交換器ユニット４４０との接続部４３５は、便座２００の下方に配置されている。
【００７５】
図４〜図６に表したように、ケーシング４００は、前方側に位置する低背部４１０と、後方側に位置する高背部４１１と、を有する。低背部４１０は、高背部４１１の前方に位置するとともに、便座２００の下方に位置する。高背部４１１は、低背部４１０の後方に位置するとともに、便座２００よりも後方に位置する。高背部４１１の上下方向の長さＬ２は、低背部４１０の上下方向の長さＬ１よりも大きい。バルブユニット４３０は、ケーシング４００の低背部４１０に配置されている。
【００７６】
図５及び図６に表したように、低背部４１０の上面４１０ａは、後方から前方に向かって低くなっている。より具体的には、低背部４１０の上面４１０ａは、後端から前端に向かって低くなっている。
【００７７】
このように、低背部４１０の上面４１０ａを後方から前方に向かって低くすることで、便座２００とケーシング４００との継ぎ目を滑らかにすることができる。これにより、意匠性を向上させることができる。
【００７８】
図４に表したように、低背部４１０の上面４１０ａは、左右方向の中央から側方に向かって低くなっている。より具体的には、低背部４１０の上面４１０ａは、左右方向の中央から側端に向かって低くなっている。この例では、低背部４１０の上面４１０ａは、中央側（左側方側）から右側方側に向かって低くなっている。
【００７９】
以下、バルブユニット４３０について、詳しく説明する。  
図７（ａ）は、実施形態に係る衛生洗浄装置のバルブユニットを模式的に表す平面図である。  
図７（ｂ）は、実施形態に係る衛生洗浄装置のバルブユニットを模式的に表す正面図である。
図８（ａ）及び図８（ｂ）は、実施形態に係る衛生洗浄装置のバルブユニットを模式的に表す側面図である。図８（ａ）は、右側方から見たバルブユニット４３０の側面図である。図８（ｂ）は、左側方から見たバルブユニット４３０の側面図である。
【００８０】
図７（ａ）、図７（ｂ）、図８（ａ）、及び図８（ｂ）に表したように、バルブユニット４３０の上下方向の長さＨ１は、バルブユニット４３０の前後方向の長さＤ１よりも小さい。つまり、バルブユニット４３０の前後方向の長さＤ１は、バルブユニット４３０の上下方向の長さＨ１よりも大きい。また、バルブユニット４３０の上下方向の長さＨ１は、バルブユニット４３０の左右方向の長さＷ１よりも小さい。つまり、バルブユニット４３０の左右方向の長さＷ１は、バルブユニット４３０の上下方向の長さＨ１よりも大きい。
【００８１】
ここで、バルブユニット４３０の上下方向の長さＨ１は、バルブユニット４３０を構成する部品のうち最も下方にある部品の下端から、バルブユニット４３０を構成する部品のうち最も上方にある部品の上端までの距離である。この例では、バルブユニット４３０の上下方向の長さＨ１は、ストレーナ４３１の下端から調整弁４３３の上端までの距離である。
【００８２】
また、バルブユニット４３０の前後方向の長さＤ１は、バルブユニット４３０を構成する部品のうち最も前方にある部品の前端から、バルブユニット４３０を構成する部品のうち最も後方にある部品の後端までの距離である。この例では、バルブユニット４３０の前後方向の長さＤ１は、ストレーナ４３１の前端から調整弁４３３の後端までの距離である。
【００８３】
また、バルブユニット４３０の左右方向の長さＷ１は、バルブユニット４３０を構成する部品のうち最も右側方にある部品の右側端から、バルブユニット４３０を構成する部品のうち最も左側方にある部品の左側端までの距離である。この例では、バルブユニット４３０の左右方向の長さＷ１は、ストレーナ４３１の右側端から電磁弁４３２の左側端までの距離である。
【００８４】
このように、バルブユニット４３０の上下方向の長さＨ１を、バルブユニット４３０の前後方向の長さＤ１よりも小さく、かつ、バルブユニット４３０の左右方向の長さＷ１よりも小さくすることで、従来デッドスペースとなっていたケーシング４００の前部の低背部４１０にバルブユニット４３０を配置することができる。これにより、ケーシング４００内部のデッドスペースを削減し、ケーシング４００をコンパクト化することができる。
【００８５】
また、バルブユニット４３０の上下方向の長さＨ１を、バルブユニット４３０の前後方向の長さＤ１よりも小さく、かつ、バルブユニット４３０の左右方向の長さＷ１よりも小さくすることで、バルブユニット４３０から漏水した場合に、バルブユニット４３０から漏れた水が制御部４０５にかかることをより確実に抑制できる。
【００８６】
また、バルブユニット４３０の前後方向の長さＤ１及びバルブユニット４３０の左右方向の長さＷ１を、バルブユニット４３０の上下方向の長さＨ１よりも大きくすることで、便座２００に対向するバルブユニット４３０の面積を大きくすることができる。これにより、便座２００からの熱をより効率的にバルブユニット４３０に伝えることができ、凍結によるバルブユニット４３０の破損をより確実に抑制することができる。さらに、ケーシング４００の上下方向の長さを小さくすることで、ケーシング４００をコンパクト化することができる。
【００８７】
また、図７（ａ）に表したように、バルブユニット４３０の前後方向の長さＤ１は、例えば、バルブユニット４３０の左右方向の長さＷ１よりも小さい。
【００８８】
このように、バルブユニット４３０の前後方向の長さＤ１をバルブユニット４３０の左右方向の長さＷ１よりも小さくすることで、バルブユニット４３０を低背部４１０のより前方側に配置することができる。これにより、ケーシング４００内部のデッドスペースをより削減し、ケーシング４００をよりコンパクト化することができる。
【００８９】
また、バルブユニット４３０の前後方向の長さＤ１をバルブユニット４３０の左右方向の長さＷ１よりも小さくすることで、バルブユニット４３０から便器８００までの排水経路４１５（後述の第１領域４１５ａ）を短くすることができる。これにより、バルブユニット４３０から漏れた水をより容易に便器８００に排出することができるとともに、ケーシング４００をコンパクト化することができる。
【００９０】
また、バルブユニット４３０の前後方向の長さＤ１をバルブユニット４３０の左右方向の長さＷ１よりも小さくすることで、バルブユニット４３０が便座２００の後部の下方に配置される場合にも、バルブユニット４３０のより広い範囲を便座２００の下方に配置することができる。これにより、便座２００からの熱をより効率的にバルブユニット４３０に伝えることができ、凍結によるバルブユニット４３０の破損をより確実に抑制することができる。さらに、ケーシング４００の前後方向の長さを小さくすることで、ケーシング４００をコンパクト化することができる。
【００９１】
図８（ａ）及び図８（ｂ）に表したように、バルブユニット４３０の上端は、後方から前方に向かって低くなっている。つまり、バルブユニット４３０は、前後方向においてバルブユニット４３０の上端が低背部４１０の上面４１０ａに沿うように設けられている。より具体的には、バルブユニット４３０を構成する部品のうち、高さが高い部品は、バルブユニット４３０の後方側に配置されており、高さが低い部品は、バルブユニット４３０の前方側に配置されている。
【００９２】
この例では、ストレーナ４３１の高さは、電磁弁４３２の高さよりも低い。ストレーナ４３１は、電磁弁４３２よりも前方に配置されている。より具体的には、ストレーナ４３１の前端は、電磁弁４３２の前端よりも、前方に位置している。また、調整弁４３３の高さは、電磁弁４３２の高さよりも高い。調整弁４３３は、電磁弁４３２よりも後方に配置されている。より具体的には、調整弁４３３の前端は、電磁弁４３２の前端よりも、後方に位置している。
【００９３】
このように、バルブユニット４３０の上端を後方から前方に向かって低くすることで、低背部４１０の上面４１０ａが後方から前方に向かって低くなる場合にも、低背部４１０にバルブユニット４３０を配置しやすい。
【００９４】
また、バルブユニット４３０の上端を後方から前方に向かって低くすることで、上面４１０ａが後方から前方に向かって低くなる低背部４１０にバルブユニット４３０を配置する場合にも、バルブユニット４３０がケーシング４００の上部（ケースカバー４００ｂ）に近づきすぎることを抑制できる。これにより、バルブユニット４３０から漏水した場合に、バルブユニット４３０から漏れた水がケーシング４００の上部（ケースカバー４００ｂ）にかかることを抑制でき、バルブユニット４３０から漏れた水がケーシングの隙間（ケースプレート４００ａとケースカバー４００ｂとの隙間）から機外に漏水することを抑制できる。
【００９５】
図７（ｂ）に表したように、バルブユニット４３０の上端は、左右方向の中央から側方に向かって低くなっている。つまり、バルブユニット４３０は、左右方向においてバルブユニット４３０の上端が低背部４１０の上面４１０ａに沿うように設けられている。より具体的には、バルブユニット４３０を構成する部品のうち、高さが高い部品は、バルブユニット４３０の左右方向の中央側に配置されており、高さが低い部品は、バルブユニット４３０の側方側に配置されている。
【００９６】
この例では、ストレーナ４３１の高さは、電磁弁４３２の高さよりも低い。ストレーナ４３１は、電磁弁４３２よりも側端側（この例では、右側方）に配置されている。より具体的には、ストレーナ４３１の右側端は、電磁弁４３２の右側端よりも、側端側（右側方）に位置している。また、調整弁４３３の高さは、電磁弁４３２の高さよりも高い。調整弁４３３は、電磁弁４３２よりも中央側（この例では、左側方）に配置されている。より具体的には、調整弁４３３の右側端は、電磁弁４３２の右側端よりも、中央側（左側方）に位置している。
【００９７】
このように、バルブユニット４３０の上端を左右方向の中央から側方に向かって低くすることで、低背部４１０の上面４１０ａが左右方向の中央から側方に向かって低くなる場合にも、低背部４１０にバルブユニット４３０を配置しやすい。
【００９８】
また、バルブユニット４３０の上端を左右方向の中央から側方に向かって低くすることで、上面４１０ａが左右方向の中央から側方に向かって低くなる低背部４１０にバルブユニット４３０を配置する場合にも、バルブユニット４３０がケーシング４００の上部（ケースカバー４００ｂ）に近づきすぎることを抑制できる。これにより、バルブユニット４３０から漏水した場合に、バルブユニット４３０から漏れた水がケーシング４００の上部（ケースカバー４００ｂ）にかかることを抑制でき、バルブユニット４３０から漏れた水がケーシングの隙間（ケースプレート４００ａとケースカバー４００ｂとの隙間）から機外に漏水することを抑制できる。
【００９９】
図５及び図６に表したように、便座２００は、前後方向において低背部４１０の上面４１０ａに沿って設けられている。そして、上記のように、バルブユニット４３０は、前後方向においてバルブユニット４３０の上端が低背部４１０の上面４１０ａに沿うように設けられている。
【０１００】
このように、前後方向において低背部４１０の上面４１０ａに沿うようにバルブユニット４３０の上端を後方から前方に向かって低くするとともに、便座２００を前後方向において低背部４１０の上面４１０ａに沿って設けることで、便座２００からの熱をより効率的にバルブユニット４３０に伝えることができる。これにより、凍結によるバルブユニット４３０の破損をより確実に抑制することができる。
【０１０１】
図４に表したように、便座２００は、左右方向において低背部４１０の上面４１０ａに沿って設けられている。そして、上記のように、バルブユニット４３０は、左右方向においてバルブユニット４３０の上端が低背部４１０の上面４１０ａに沿うように設けられている。
【０１０２】
このように、左右方向において低背部４１０の上面４１０ａに沿うようにバルブユニット４３０の上端を左右方向の中央から側方に向かって低くするとともに、便座２００を左右方向において低背部４１０の上面４１０ａに沿って設けることで、便座２００からの熱をより効率的にバルブユニット４３０に伝えることができる。これにより、凍結によるバルブユニット４３０の破損をより確実に抑制することができる。
【０１０３】
図３及び図６に表したように、熱交換器ユニット４４０は、バルブユニット４３０よりも後方に配置されている。より具体的には、熱交換器ユニット４４０の前端は、バルブユニット４３０の前端よりも後方に位置する。また、熱交換器ユニット４４０の後端は、バルブユニット４３０の後端よりも後方に位置する。この例では、熱交換器ユニット４４０は、前後方向において制御部４０５とバルブユニット４３０との間に配置されている。また、熱交換器ユニット４４０の上下方向の長さＨ２は、バルブユニット４３０の上下方向の長さＨ１よりも大きい。
【０１０４】
このように、熱交換器ユニット４４０をバルブユニット４３０よりも後方に配置することで、熱交換器ユニット４４０を高さの制約をより受けにくい位置に配置することができる。これにより、熱交換器ユニット４４０の上下方向の長さＨ２をバルブユニット４３０の上下方向の長さＨ１よりも大きくすることができ、熱交換器ユニット４４０の貯水量を多くすることができる。
【０１０５】
また、熱交換器ユニット４４０を前後方向において制御部４０５とバルブユニット４３０との間に配置することで、制御部４０５とバルブユニット４３０との間の距離を大きくすることができる。これにより、バルブユニット４３０から漏水した場合に、バルブユニット４３０から漏れた水が制御部４０５にかかることをより確実に抑制できる。また、熱交換器ユニット４４０の上下方向の長さＨ２がバルブユニット４３０の上下方向の長さＨ１よりも大きい場合には、熱交換器ユニット４４０が壁になることで、バルブユニット４３０から漏れた水が制御部４０５にかかることをさらに確実に抑制できる。
【０１０６】
図３及び図６に表したように、熱交換器ユニット４４０は、便座２００のヒータ２１０の後端よりも後方に配置されている。より具体的には、熱交換器ユニット４４０の前端は、便座２００のヒータ２１０の後端よりも後方に位置している。
【０１０７】
制御部４０５は、例えば、熱交換器ユニット４４０が凍結しないように凍結抑制制御を行う。凍結抑制制御により熱交換器ユニット４４０は凍結しにくいため、バルブユニット４３０のように、便座２００からの熱で凍結を抑制する必要がない。そのため、熱交換器ユニット４４０は、便座２００のヒータ２１０の後端よりも後方に配置されていてもよい。このように、熱交換器ユニット４４０を便座２００のヒータ２１０の後端よりも後方に配置することで、便座２００の下方にバルブユニット４３０を配置するための空間を確保しやすくなる。これにより、便座２００の下方の空間を有効活用することができ、ケーシング４００をコンパクト化することができる。
【０１０８】
図６に表したように、熱交換器ユニット４４０の前端は、例えば、低背部４１０に位置する。このように、熱交換器ユニット４４０の前端を低背部４１０に位置するようにすることで、熱交換器ユニット４４０の少なくとも一部を低背部４１０に配置することができる。これにより、熱交換器ユニット４４０をケーシング４００の前方側に配置することができ、ケーシング４００をよりコンパクト化することができる。
【０１０９】
図３に表したように、熱交換器ユニット４４０とバルブユニット４３０との接続部４３５は、熱交換器ユニット４４０の前方側に配置されている。換言すれば、バルブユニット４３０は、熱交換器ユニット４４０の前方側で熱交換器ユニット４４０と接続されている。
【０１１０】
このように、熱交換器ユニット４４０とバルブユニット４３０との接続部４３５を熱交換器ユニット４４０の前方側に配置することで、接続部４３５から漏水した場合に、接続部４３５から漏れた水が制御部４０５にかかることを抑制できる。換言すれば、接続部４３５と制御部４０５との間に熱交換器ユニット４４０が位置することで、熱交換器ユニット４４０が壁になり、接続部４３５から漏れた水が制御部４０５にかかることを抑制できる。
【０１１１】
図５及び図６に表したように、低背部４１０の上面４１０ａは、例えば、前後方向において上に凸の曲面である。低背部４１０の上面４１０ａは、例えば、前後方向において複数の傾斜面を有していてもよい。この場合、低背部４１０の上面４１０ａは、例えば、前方に向かって水平面に対する傾斜角度が大きくなるように構成される。
【０１１２】
このように、低背部４１０の上面４１０ａを前後方向において上に凸の曲面とすることで、低背部４１０のスペースをより広くすることができる。これにより、低背部４１０にバルブユニット４３０をより配置しやすくなる。
【０１１３】
図５及び図６に表したように、バルブユニット４３０の少なくとも一部は、例えば、低背部４１０の前後方向の中央ＣＬ１よりも後方に配置される。換言すれば、低背部４１０の前後方向の中央ＣＬ１は、前後方向においてバルブユニット４３０と重なる。
【０１１４】
このように、バルブユニット４３０の少なくとも一部を低背部４１０の前後方向の中央ＣＬ１よりも後方に配置することで、バルブユニット４３０を高さの制約をより受けにくい位置に配置することができる。
【０１１５】
図９は、実施形態に係る衛生洗浄装置のケーシングの一部を模式的に表す平面図である。  
図１０（ａ）及び図１０（ｂ）は、実施形態に係る衛生洗浄装置のケーシングの一部を模式的に表す断面図である。  
図１１は、実施形態に係る衛生洗浄装置のケーシングの一部を模式的に表す斜視図である。  
図９、図１０（ａ）、図１０（ｂ）、及び図１１では、ケースプレート４００ａ上における水の流れを矢印で表している。
図９では、バルブユニット４３０、熱交換器ユニット４４０、制御部４０５、及びノズル４７３の位置を仮想線で表している。
図１０（ａ）は、図９に示すＤ１−Ｄ２線による断面図である。図１０（ｂ）は、図９に示すＥ１−Ｅ２線による断面図である。
【０１１６】
図９、図１０（ａ）、図１０（ｂ）、及び図１１に表したように、ケーシング４００は、内底面に排水経路４１５を有する。排水経路４１５は、例えば、ケースプレート４００ａの上面に設けられる。ケーシング４００の内底面（ケースプレート４００ａの上面）上の水は、排水経路４１５を通って便器８００に排出される。
【０１１７】
図９に表したように、排水経路４１５は、上下方向において制御部４０５と重ならない。排水経路４１５は、例えば、第１〜第３領域４１５ａ〜４１５ｃを有する。第１領域４１５ａの少なくとも一部は、上下方向においてバルブユニット４３０と重なる。バルブユニット４３０から漏れた水は、第１領域４１５ａを通って便器８００に排出される。第２領域４１５ｂの少なくとも一部は、上下方向において熱交換器ユニット４４０と重なる。熱交換器ユニット４４０から漏れた水は、第２領域４１５ｂを通って便器８００に排出される。第３領域４１５ｃの少なくとも一部は、上下方向においてノズル４７３と重なる。ノズル４７３から漏れた水は、第３領域４１５ｃを通って便器８００に排出される。
【０１１８】
第１領域４１５ａ及び第２領域４１５ｂは、制御部４０５の前方に位置する。より具体的には、第１領域４１５ａの後端及び第２領域４１５ｂの後端は、制御部４０５の前端よりも前方に位置する。第１領域４１５ａは、第２領域４１５ｂの前方に位置する。第３領域４１５ｃは、制御部４０５の側方に位置する。第３領域４１５ｃは、第１領域４１５ａ及び第２領域４１５ｂの側方に位置する。第３領域４１５ｃは、第１領域４１５ａ及び第２領域４１５ｂよりも左右方向の中央側に位置する。
【０１１９】
図１０（ａ）に表したように、排水経路４１５の第１領域４１５ａには、左右方向の端部から中央側に向かって下方に傾斜する傾斜面が設けられている。同様に、第２領域４１５ｂには、左右方向の端部から中央側に向かって下方に傾斜する傾斜面が設けられている。第１領域４１５ａ及び第２領域４１５ｂ上の水は、傾斜面に沿って、左右方向の中央側に向かって流れる。
【０１２０】
また、図１０（ｂ）に表したように、排水経路４１５の第３領域４１５ｃには、後方から前方に向かって下方に傾斜する傾斜面が設けられている。第３領域４１５ｃ上の水は、傾斜面に沿って、前方側に向かって流れる。
【０１２１】
図９及び図１１に表したように、ケースプレート４００ａの上面には、排水ガイド部４１６が設けられている。排水ガイド部４１６は、バルブユニット４３０の前方に設けられる。排水ガイド部４１６は、例えば、ケースプレート４００ａの上面から上方に延びる立面（リブ）である。ケースプレート４００ａ上の水は、排水ガイド部４１６によって、排水ガイド部４１６よりも前方に流れないようにせき止められる。換言すれば、排水ガイド部４１６は、ケースプレート４００ａ上の水を左右方向の中央側に導く。
【０１２２】
図９及び図１０（ｂ）に表したように、ケーシング４００は、底部に設けられた第１排水口４１７ａと第２排水口４１７ｂとを有する。第１排水口４１７ａ及び第２排水口４１７ｂは、例えば、ケースプレート４００ａに設けられる。ケースプレート４００ａ上の水は、第１排水口４１７ａ及び第２排水口４１７ｂを介して便器８００に排出される。つまり、衛生洗浄装置１００を便器８００に設置した状態で、第１排水口４１７ａ及び第２排水口４１７ｂは、ボウル８０１の開口の内側に位置する。第１排水口４１７ａ及び第２排水口４１７ｂは、切り欠きであってもよい。
【０１２３】
第１排水口４１７ａは、ノズル４７３の近くに設けられる排水口である。第２排水口４１７ｂは、バルブユニット４３０の近くに設けられる排水口である。換言すれば、第１排水口４１７ａとノズル４７３との間の距離は、第２排水口４１７ｂとノズル４７３との間の距離よりも短い。また、第２排水口４１７ｂとバルブユニット４３０との間の距離は、第１排水口４１７ａとバルブユニット４３０との間の距離よりも短い。
【０１２４】
このように、バルブユニットの近くに第２排水口４１７ｂを設けることで、バルブユニット４３０から漏れた水を、ノズル４７３の近くに設けられた第１排水口４１７ａまで導かなくとも、バルブユニット４３０の近くに設けられた第２排水口４１７ｂから排出することができる。これにより、バルブユニット４３０から便器８００までの排水経路４１５（第１領域４１５ａ）を短くすることができ、バルブユニット４３０から漏れた水をより容易に便器８００に排出することができる。また、排水経路４１５を短くすることができるため、ケーシング４００の上下方向の長さを小さくして、ケーシング４００をコンパクト化することができる。
【０１２５】
図１２は、実施形態に係る衛生洗浄装置を模式的に表す平面図である。  
図１２は、衛生洗浄装置１００を下方から見たときの平面図である。  
図１３〜図１６は、実施形態に係る衛生洗浄装置を模式的に表す断面図である。  
図１２〜図１６では、便座２００を取り外した状態を表している。  
図１２、図１３、図１５、及び図１６では、給水ホース１５の位置を仮想線で表している。また、図１２では、便器８００の貫通孔８１０の位置を仮想線で表している。  
図１３は、図１２に示すＦ１−Ｆ２線による断面図である。図１４は、図１２に示すＧ１−Ｇ２線による断面図である。図１５は、図１２に示すＨ１−Ｈ２線による断面図である。図１６は、図１２に示すＪ１−Ｊ２線による断面図である。
【０１２６】
図１２〜図１６に表したように、ケーシング４００は、底面４００ｄから上方に向かって窪む凹部４１２を有する。ケーシング４００の底面４００ｄは、ケースプレート４００ａの下端に位置する面である。ケーシング４００の底面４００ｄは、例えば、衛生洗浄装置１００を便器８００に取り付けた状態で、便器８００の上面と対向する面である。
【０１２７】
図１３に表したように、凹部４１２は、後方または側方に向かう側面４１２ａと、上面４１２ｂと、を有する。凹部４１２の上面４１２ｂは、凹部４１２の上端に位置する面である。凹部４１２の上面４１２ｂは、ケーシング４００の底面４００ｄよりも上方に位置する。凹部４１２の深さは、給水ホース１５の外径Ｒ１よりも大きい。換言すれば、凹部４１２の上面４１２ｂとケーシング４００の底面４００ｄとの間の上下方向の距離は、給水ホース１５の外径Ｒ１よりも大きい。
【０１２８】
給水接続部４２０は、凹部４１２の後方または側方に向かう側面４１２ａに設けられる。給水接続部４２０は、後方または側方に開口する。つまり、給水接続部４２０は、水平方向に開口する。この例では、給水接続部４２０は、凹部４１２の後方に向かう側面４１２ａに設けられており、後方に開口している。給水ホース１５は、水平方向に開口する給水接続部４２０に対して、水平方向に直接接続されている。
【０１２９】
このように、ケーシング４００に底面４００ｄから上方に向かって窪む凹部４１２を設け、給水接続部４２０を凹部４１２の後方または側方に向かう側面４１２ａに設けることで、給水ホース１５を給水接続部４２０から後方や側方に向かって延ばすことができる。これにより、便器８００から取り外した衛生洗浄装置１００を床や便器８００の上に仮置きする際に、給水ホース１５が床とケーシング４００との間や便器８００とケーシング４００との間に挟まれてキンクすることを抑制できる。また、給水ホース１５の反力によってケーシング４００が傾くことを抑制できるため、仮置きしやすくなる。また、可撓性のある給水ホース１５を用いることで、便器８００に設けられた貫通孔８１０に給水ホース１５を挿入する場合に、貫通孔８１０の位置が給水接続部４２０からずれていても、キンクを抑制しながら給水ホース１５を取り回すことができる。さらに、給水ホース１５を給水接続部４２０から後方や側方に向かって延ばすことができるため、衛生洗浄装置１００を上下方向にコンパクト化しやすい。
【０１３０】
また、水平方向に開口する給水接続部４２０に対して給水ホース１５を水平方向に直接接続することで、給水ホース１５と給水接続部４２０とを接続する給水管部材を設ける必要がない。これにより、部品数を減らすことができ、コストを削減することができる。
【０１３１】
鉛直方向に貫通する貫通孔８１０を有する便器に衛生洗浄装置１００を設置する場合、給水接続部４２０から水平方向に延びる給水ホース１５を鉛直方向に曲げて、貫通孔８１０に挿入する。そのため、実施形態において、ケーシング４００は、給水ホース１５の一部を曲げて収納することができるホース収納部４１３を有する。ホース収納部４１３は、貫通孔８１０を有する便器８００に設置する際に、給水ホース１５がケーシング４００の外周よりも外側に出ないように収納しつつ、給水ホース１５を曲げることができる空間を有する。
【０１３２】
このように、ケーシング４００に給水ホース１５の一部を曲げて収納することができるホース収納部４１３を設けることで、便器８００に設けられる貫通孔８１０の位置によらず、容易に給水ホース１５を貫通孔８１０に挿入することができる。これにより、多様な便器８００の貫通孔８１０に対応させることができる。また、給水ホース１５を給水接続部４２０に対して水平方向に接続することで、衛生洗浄装置１００の高さを低くすることができる。また、ホース収納部４１３を設けることで、便器８００から取り外した衛生洗浄装置１００を床や便器８００の上に仮置きする際に、給水ホース１５が床とケーシング４００との間や便器８００とケーシング４００との間に挟まれてキンクすることを抑制できる。
【０１３３】
この例では、ホース収納部４１３は、凹部４１２である。つまり、ホース収納部４１３は、ケースプレート４００ａの外側に設けられている。実施形態において、ホース収納部４１３は、ケースプレート４００ａの内側に設けられていてもよい。また、上記のように、給水接続部４２０は、凹部４１２の後方または側方に向かう側面４１２ａに設けられている。
【０１３４】
このように、ケーシング４００の底面４００ｄから上方に向かって窪む凹部４１２をホース収納部４１３とし、給水接続部４２０を凹部４１２の後方または側方に向かう側面４１２ａに設けることで、給水ホース１５をケーシング４００の内部で給水接続部４２０に接続する必要がないため、より容易に給水ホース１５を給水接続部４２０に接続することができる。
【０１３５】
図１２に表したように、凹部４１２は、ケーシング４００の側部に設けられる。より具体的には、凹部４１２は、ケーシング４００の左右方向の中央ＣＬ２と重ならない位置に設けられる。凹部４１２は、例えば、ケーシング４００を左右方向に３つの領域に等分した場合に、ケーシング４００の左右方向の中央ＣＬ２を含まない領域（すなわち、側部の領域）に設けられる。
【０１３６】
このように、凹部４１２をケーシング４００の左右方向の中央ＣＬ２と重ならない位置に設けることで、ケーシング４００の内部の左右方向の中央ＣＬ２付近に収納されるノズル４７３などの部品と凹部４１２が干渉することを抑制できる。これにより、凹部４１２において、給水ホース１５を取り回すための十分な空間を設けることができる。
【０１３７】
図１３に表したように、給水接続部４２０の向く方向における凹部４１２の奥行きＤ２は、給水ホース１５の外径Ｒ１の２倍よりも大きい。この例では、給水接続部４２０の向く方向は、後方である。この例では、奥行きＤ２は、凹部４１２の前端と後端との間の距離である。実施形態において、給水接続部４２０の向く方向は、側方（例えば、右側方）であってもよい。この場合、奥行きＤ２は、凹部４１２の左側端と右側端との間の距離である。
【０１３８】
このように、給水接続部４２０の向く方向における凹部４１２の奥行きＤ２を、給水ホース１５の外径Ｒ１の２倍よりも大きくすることで、給水ホース１５を曲げて取り回す場合にも、給水ホース１５を取り回すための十分な空間を設けることができる。
【０１３９】
図１５及び図１６に表したように、凹部４１２の幅Ｗ２は、給水接続部４２０の向く方向に向かって広くなる。この例では、給水接続部４２０の向く方向は、後方である。この例では、幅Ｗ２は、凹部４１２の左右方向の長さである。つまり、この例では、凹部４１２の前端における左右方向の長さは、凹部４１２の後端における左右方向の長さよりも小さい。より具体的には、この例では、凹部４１２は、左右方向の長さが小さい前方部分と、前方部分の後方に設けられ左右方向の長さが前方部分よりも大きい後方部分と、を有する。実施形態において、給水接続部４２０の向く方向は、側方であってもよい。この場合、幅Ｗ２は、凹部４１２の前後方向の長さである。
【０１４０】
このように、凹部４１２の幅Ｗ２を給水接続部４２０の向く方向に向かって広くすることで、給水ホース１５を取り回すための十分な空間を確保しつつ、凹部４１２を小さくすることができる。これにより、ケーシング４００の内部で他の部品を配置できるスペースを広くすることができる。また、ケーシング４００をコンパクト化することができる。
【０１４１】
図１２に表したように、給水接続部４２０は、ケーシング４００の前後方向の中央ＣＬ３よりも前方に設けられている。より具体的には、給水接続部４２０の前端は、ケーシング４００の前後方向の中央ＣＬ３よりも前方に位置している。また、給水接続部４２０の後端は、ケーシング４００の前後方向の中央ＣＬ３よりも前方に位置している。なお、給水接続部４２０の後端は、ケーシング４００の前後方向の中央ＣＬ３よりも後方に位置していてもよい。つまり、給水接続部４２０は、ケーシング４００の前後方向の中央ＣＬ３と重なる位置に設けられていてもよい。
【０１４２】
このように、給水接続部４２０をケーシング４００の前後方向の中央ＣＬ３よりも前方に設けることで、給水ホース１５のキンクを抑制しながら給水ホース１５を曲げるための十分な空間を確保することができる。これにより、給水接続部４２０よりも後方に配置される便器８００の貫通孔８１０に対して、給水ホース１５を容易に取り回すことができる。
【０１４３】
図１２及び図１５に表したように、給水接続部４２０は、ケーシング４００の側端４００ｅに隣接する位置に設けられている。ケーシング４００の側端４００ｅと給水接続部４２０との左右方向の距離は、例えば、２０ｍｍ以下である。
【０１４４】
このように、給水接続部４２０をケーシング４００の側端４００ｅに隣接する位置に設けることで、ホース収納部４１３をケーシング４００の側端４００ｅに近づけることができる。これにより、貫通孔８１０を有さない便器８００に設置する場合に、給水ホース１５を取り回すための十分な空間を確保しつつ、ホース収納部４１３を小さくすることができる。これにより、ケーシング４００の内部で他の部品を配置できるスペースを広くすることができる。また、ケーシング４００をコンパクト化することができる。
【０１４５】
貫通孔８１０を有する便器８００に衛生洗浄装置１００を取り付ける場合、給水接続部４２０は、例えば、便器８００に衛生洗浄装置１００を取り付けた状態で、貫通孔８１０が開口する位置から離れた位置に設けられる。より具体的には、給水接続部４２０は、例えば、便器８００に衛生洗浄装置１００を取り付けた状態で、上下方向において貫通孔８１０と重ならない位置に設けられる。
【０１４６】
給水接続部４２０は、例えば、便器８００に衛生洗浄装置１００を取り付けた状態で、貫通孔８１０よりも前方に設けられる。また、給水接続部４２０は、例えば、便器８００に衛生洗浄装置１００を取り付けた状態で、貫通孔８１０よりも側方（側端４００ｅ側）に設けられる。給水接続部４２０と貫通孔８１０との間の距離は、例えば、給水ホース１５の外径Ｒ１の２倍よりも大きい。
【０１４７】
図１２〜図１６に表したように、凹部４１２の側方には、カバー部材４１９が設けられている。カバー部材４１９は、着脱可能に設けられる。この例では、カバー部材４１９は、凹部４１２の後方及び側方を覆っている。カバー部材４１９は、例えば、凹部４１２の側方のみを覆うものであってもよい。
【０１４８】
例えば、便器８００に給水ホース１５を挿入するための貫通孔８１０が設けられていない場合には、カバー部材４１９を取り外すことで、給水ホース１５を凹部４１２の側方に取り回すことができる。一方、例えば、便器８００に給水ホース１５を挿入するための貫通孔８１０が設けられている場合には、カバー部材４１９を取り付けることで、凹部４１２の側方を隠蔽することができる。これにより、給水接続部４２０を使用者から見えない状態にすることができ、意匠性を向上させることができる。
【０１４９】
また、カバー部材４１９を取り外すことで、ホース収納部４１３（凹部４１２）は、後方または側方の少なくとも一方に向かって開放される。つまり、給水接続部４２０の向く方向には、ケーシング４００は設けられていない。
【０１５０】
このように、ホース収納部４１３を後方または側方の少なくとも一方に向かって開放することで、給水ホース１５をホース収納部４１３の後方または側方の少なくとも一方に延ばすことができる。これにより、便器８００に貫通孔８１０が設けられていない場合にも、給水ホース１５のキンクを抑制しながら給水ホース１５を取り回すことができる。つまり、貫通孔８１０を有する便器８００及び貫通孔８１０を有さない便器８００のいずれにも衛生洗浄装置１００を設置することができる。
【０１５１】
また、給水ホース１５を凹部４１２の後方または側方の少なくとも一方に延ばすことができるため、給水ホース１５を取り回すための十分な空間を確保しつつ、凹部４１２を小さくすることができる。これにより、ケーシング４００の内部で他の部品を配置できるスペースを広くすることができる。また、ケーシング４００をコンパクト化することができる。
【０１５２】
図１２〜図１６に表したように、衛生洗浄装置１００は、給水ホース１５を正規の方向に導くガイド部４１４をさらに備える。ガイド部４１４は、例えば、給水ホース１５の上方や左右方向への移動を規制することで、給水ホース１５を正規の方向に導く。
【０１５３】
このように、給水ホース１５を正規の方向に導くガイド部４１４を設けることで、可撓性のある給水ホース１５が給水接続部４２０に接続された状態でキンクするのを抑制することができる。
【０１５４】
図１３及び図１５に表したように、ガイド部４１４は、例えば、凹部４１２の上面４１２ｂを含む。換言すれば、凹部４１２の上面４１２ｂは、例えば、ガイド部４１４として機能する。
【０１５５】
このように、凹部４１２の上面４１２ｂにより給水ホース１５を導くことで、給水ホース１５が上方へと延びるのを押さえ、給水ホース１５のキンクを抑制できる。
【０１５６】
図１５に表したように、ガイド部４１４は、カバー部材４１９と、カバー部材４１９に対向する凹部４１２の側面４１２ｃと、を含む。換言すれば、カバー部材４１９及び凹部４１２の側面４１２ｃは、例えば、ガイド部４１４として機能する。
【０１５７】
このように、凹部４１２の側方に設けられるカバー部材４１９とカバー部材４１９に対向する凹部４１２の側面４１２ｃとにより給水ホース１５を導くことで、給水ホース１５を左右方向に曲げて接続する場合にも、容易に給水接続部４２０に接続することができる。
【０１５８】
図１３、図１４、及び図１６に表したように、制御部４０５は、ケーシング４００の内部において、凹部４１２の上方に配置されている。より具体的には、制御部４０５の下端は、凹部４１２の上面４１２ｂよりも上方に位置する。また、制御部４０５は、上下方向において凹部４１２と重なる位置に設けられる。
【０１５９】
このように、制御部４０５をケーシング４００の内部において凹部４１２の上方に配置することで、例えば、制御部４０５をバルブユニット４３０よりも高い位置に配置することができる。これにより、例えば、バルブユニット４３０から漏水した際に、バルブユニット４３０から漏れた水が制御部４０５にかかることを抑制できる。
【０１６０】
以上のように、実施形態によれば、部品数を減らすことでコストを削減できるとともに、多様な便器８００の貫通孔８１０に対応できる衛生洗浄装置１００を提供できる。
【０１６１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１６２】
１０ 給水源、  １５ 給水ホース、  ２０ 導水部、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  ２００ 便座、  ２１０ ヒータ、  ３００ 便蓋、  ４００ ケーシング、  ４００ａ ケースプレート、  ４００ｂ ケースカバー、  ４００ｄ 底面、  ４００ｅ 側端、  ４０１ 電源回路、  ４０３ 人体検知センサ、  ４０４ 着座検知センサ、  ４０５ 制御部、  ４１０ 低背部、  ４１０ａ 上面、  ４１１ 高背部、  ４１２ 凹部、  ４１２ａ 側面、  ４１２ｂ 上面、  ４１２ｃ 側面、  ４１３ ホース収納部、  ４１４ ガイド部、  ４１５ 排水経路、  ４１５ａ〜４１５ｃ 第１〜第３領域、  ４１６ 排水ガイド部、  ４１７ａ、４１７ｂ 第１、第２排水口、  ４１９ カバー部材、  ４２０ 給水接続部、  ４３０ バルブユニット、  ４３１ ストレーナ、  ４３２ 電磁弁、  ４３３ 調整弁、  ４３４ 逆止弁、  ４３５ 接続部、  ４３６ 縮径部、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７４ａ おしり洗浄吐水口、  ４７４ｂ やわらか洗浄吐水口、  ４７４ｃ ビデ洗浄吐水口、  ４７６ ノズル駆動部、  ４７８ ノズル洗浄部、  ４７９ 噴霧ノズル、  ５００ 操作部、  ８００ 便器、  ８０１ ボウル、  ９００ トイレ装置
【図１】
0006939850.tif 000002
【図２】
0006939850.tif 000003
【図３】
0006939850.tif 000004
【図４】
0006939850.tif 000005
【図５】
0006939850.tif 000006
【図６】
0006939850.tif 000007
【図７】
0006939850.tif 000008
【図８】
0006939850.tif 000009
【図９】
0006939850.tif 000010
【図１０】
0006939850.tif 000011
【図１１】
0006939850.tif 000012
【図１２】
0006939850.tif 000013
【図１３】
0006939850.tif 000014
【図１４】
0006939850.tif 000015
【図１５】
0006939850.tif 000016
【図１６】
0006939850.tif 000017